(57)【要約】      （修正有）【課題】ヘッドレスト高さ調整機構付きチャイルド安全シートを提供する。【解決手段】シートシェルと、ヘッドレスト２と、シートシェルに摺動可能に連結され、一体型ハーネスシステムの紐を案内するための案内部品３と、第１および第２の構成に配置されるように構成された連結要素４を含むヘッドレストの高さを調整するための調整機構と、を備えるチャイルド安全シートに関し、第１の構成に配置されたとき、連結要素は、シートシェルに対して案内部品と共にヘッドレストを移動可能にするように、ヘッドレストを案内部品に連結し、第２の構成に配置されたときに、連結要素は、案内部品がシートシェルに対して移動するのを防止し、かつシートシェルに対するヘッドレストの移動を可能にするように、シートシェルを案内部品に連結する。【選択図】図５ａ
2019069757.tif 000002
【特許請求の範囲】
【請求項１】
チャイルド安全シート（１００）であって、
シートシェル（１）と、
ヘッドレスト（２）と、
前記チャイルド安全シート（１００）の一体型ハーネスシステム（５）の紐（５１）を案内するための、前記シートシェル（１）に摺動可能に連結された案内部品（３）と、
第１の構成および第２の構成に配置されるように構成された連結要素（４）を含む、前記ヘッドレスト（２）の高さを調整するための調整機構と、を備え、
前記第１の構成に配置されたとき、前記シートシェル（１）に対して前記案内部品（３）と一緒に前記ヘッドレスト（２）を移動させることができるように、前記連結要素（４）が前記ヘッドレスト（２）を前記案内部品（３）に連結し、
前記第２の構成に配置されたとき、前記案内部品（３）が前記シートシェル（１）に対して移動するのを防止するように、かつ前記シートシェル（１）に対する前記ヘッドレスト（２）の移動を可能にするように、前記連結要素（４）が前記シートシェル（１）を前記案内部品（３）に連結する、チャイルド安全シート（１００）。
【請求項２】
前記シートシェル（１）は、
着座部（１２）を備え、
前記調整機構は、前記着座部（１２）と異なる高さで前記ヘッドレスト（２）を前記シートシェル（１）と係合させるように適合された係止機構をさらに備え、
前記チャイルド安全シート（１００）は、
前記連結要素（４）が前記第１の構成にあるとき、最低位置から、前記最低位置より前記着座部（１２）から離れた中間位置の範囲の高さで、前記ヘッドレスト（２）が前記シートシェル（１）に係合可能なように構成されており、
前記連結要素（４）が前記第２の構成にある場合、前記中間位置から、前記中間位置よりも前記着座部（１２）からさらに離れた最高位置までの範囲の高さで、前記ヘッドレスト（２）が前記シートシェル（１）に係合可能なように構成されている、請求項１に記載のチャイルド安全シート（１００）。
【請求項３】
前記連結要素（４）は、前記ヘッドレスト（２）が前記中間位置にある場合のみ、前記第１の構成から前記第２の構成への変更が可能であるように構成されている、請求項２に記載のチャイルド安全シート（１００）。
【請求項４】
前記第１の構成に配置されたとき、前記ヘッドレスト（２）と前記案内部品（３）との間の距離は、それらの移動の際に一定となるように、前記連結要素（４）が前記ヘッドレスト（２）を前記案内部品（３）にさらに連結する、請求項１乃至３のいずれかに記載のチャイルド安全シート（１００）。
【請求項５】
前記係止機構は、前記連結要素（４）が前記第１の構成にあるときには、前記最低位置から前記中間位置まで、前記連結要素（４）が前記第２の構成にあるときには、前記中間位置から前記最高位置まで、前記ヘッドレスト（２）を移動させるように作動可能なアクチュエータ（８）をさらに備える、請求項２乃至４のいずれかに記載のチャイルド安全シート（１００）。
【請求項６】
前記係止機構は、前記シートシェル（１）に取り付けられた歯付きラック（９）と、係止要素（８４）とをさらに備え、前記係止機構は、前記ヘッドレスト（２）が前記シートシェル（２）に係合しているときに、前記係止要素（８４）が前記歯付きラック（９）に受け入れられるように構成されている請求項２乃至５のいずれかに記載のチャイルド安全シート（１００）。
【請求項７】
前記シートシェル（１）は、背もたれ部（１１）をさらに備え、前記連結要素（４）が前記第１の構成に配置されるとき、前記案内部品（３）は背もたれ部（１１）に沿って摺動可能である、請求項１乃至６のいずれかに記載のチャイルド安全シート（１００）。
【請求項８】
前記シートシェル（１）の前記背もたれ部（１１）は、背もたれ開口（６）を備え、前記連結要素（４）が前記第１の構成に配置されるとき、前記案内部品（３）および前記連結要素（４）は、前記背もたれ開口（６）に摺動可能に取り付けられている、請求項７に記載のチャイルド安全シート（１００）。
【請求項９】
前記ヘッドレスト（２）は、前記連結要素（４）が前記第２の構成にあるとき、前記案内部品（３）を受け入れるように適合されたヘッドレスト開口（７）を有し、前記ヘッドレスト（２）の前記ヘッドレスト開口（７）は、前記ヘッドレスト（２）が前記中間位置から前記最高位置に移動することができるように寸法決めされている、請求項１乃至８のいずれかに記載のチャイルド安全シート（１００）。
【請求項１０】
前記一体型ハーネスシステム（５）の係止部材（５４）を受けるように適合された区画（５５）と、
遮蔽要素（２７）と、をさらに備え、
前記ヘッドレスト（２）が前記着座部（１２）から最も低い非一体型ヘッドレスト位置よりも低い高さに配置されている限り、前記遮蔽要素（２７）が前記係止部材（５４）を受け入れないように前記区画（５５）を遮蔽するように、前記遮蔽要素（２７）が前記ヘッドレスト（２）に連結される、請求項２乃至９のいずれかに記載のチャイルド安全シート（１００）。
【請求項１１】
チャイルド安全シート（１００）であって、
着座部（１２）を有するシートシェル（１）と、
ヘッドレスト（２）と、
係止部材（５４）を含む一体型ハーネスシステム（５）と、
前記ヘッドレスト（２）の高さを調整するための調整機構と、
前記係止部材（５４）を受け入れるように適合された区画（５５）と、
遮蔽要素（２７）と、を備え、
前記ヘッドレスト（２）が前記着座部（１２）から最も低い非一体型ヘッドレスト位置よりも低い高さに配置されている限り、前記遮蔽要素（２７）が前記係止部材（５４）を受け入れないように前記区画（５５）を遮蔽するように、前記遮蔽要素（２７）が前記ヘッドレスト（２）に連結される、チャイルド安全シート（１００）。
【請求項１２】
前記係止部材（５４）が前記区画（５５）に受け入れられている限り、前記着座部（１２）から前記最も低い非一体型ヘッドレスト位置よりも低い高さに配置されないように、前記遮蔽要素（２７）が前記ヘッドレスト（２）を遮蔽するように、前記遮蔽要素（２７）はさらに前記ヘッドレスト（２）に連結される、請求項１１に記載のチャイルド安全シート（１００）。
【請求項１３】
前記ヘッドレスト（２）が前記最も低い非一体型ヘッドレスト位置よりも低い高さに配置されている限り、前記係止部材（５４）が前記区画（５５）内に嵌め込まれないように、前記遮蔽要素（２７）は、前記区画（５５）内で利用可能な空間を減少させるようにさらに構成されている、請求項１１または１２に記載のチャイルド安全シート（１００）。
【請求項１４】
前記ヘッドレスト（２）が前記最も低い非一体型ヘッドレスト位置よりも高い位置に配置されたときに、前記係止部材（５４）を前記区画（５５）によって受け入れることができるように、遮蔽要素（２７）と前記ヘッドレスト（２）との間がさらに連結される、請求項１１乃至１３のいずれかに記載のチャイルド安全シート（１００）。
【請求項１５】
前記シートシェル（１）が背もたれ部（１１）をさらに備え、前記区画（５５）が前記背もたれ部（１１）に一体化されている、請求項１１乃至１４のいずれかに記載のチャイルド安全シート（１００）。
【発明の詳細な説明】
【技術分野】
【０００１】
本発明は、チャイルド安全シートのヘッドレストの高さを調整する調整機構を備えたチャイルド安全シートに関する。特に、本発明は、ユーザがチャイルド安全シートを一体モードで長期間使用するのを防止し、チャイルド安全シートを非一体モードで時期尚早に使用することを防止する誤用防止機構を備えた複合チャイルド安全シートに関する。
【背景技術】
【０００２】
乳幼児のような小児は、一体型ハーネスシステムのような特別な拘束装置を備え、車両の助手席に取り付けられた安全シートにしっかりと保持される。この年齢層では、連結装置としてハーネスバックルを使用した３点または５点ハーネスを備えた安全シートが最も安全な走行方法である。安全シートの３点または５点ハーネスは、子供の肩と臀部をシートにしっかりと固定する。３点または５点のハーネスで子供を適切に固定するには、ハーネスの肩紐が子供の肩に適切に案内されることが重要である。これにより、前方衝突の際には、子供の身体が効果的に拘束および減速される。さらに、子供の頭部を保護するために、チャイルドシートのヘッドレストは、衝撃からの力が頭部から外れるように、正確に調整される必要がある。
【０００３】
子供のサイズおよび年齢にしたがって肩紐およびヘッドレストの調整を容易にするために、これまでのチャイルド安全シートには、ハーネスとヘッドレストを連結する調整機構を備えるものがある。このため、ヘッドレストの調整によってハーネスが正しく調整され、その逆もある。
【０００４】
年長児は、ハイバックブースターシート付きの３点アダルトシートベルトを使用することができる。これは、３点アダルトシートベルトを子供の体に正しく配置するためである。また、そのようなチャイルドシートは、高さ調整可能なヘッドレストを備える。
【０００５】
上記から、チャイルド安全シートは、一体型ハーネスシステムと共に使用するか、またはチャイルド安全シートに子供を拘束するために車両の安全ベルトに接続して使用することができる。子供を拘束するためにアダルトシートベルトなどの車両に直接接続する手段を使用するチャイルド安全シートは、いわゆる非一体型に分類される。
【０００６】
いわゆる複合チャイルドシート、または、いわゆるグループ１２３チャイルドシートも存在する。複合チャイルドシートは、小児及び年長児のための異なる安全システムを１つのシートに組み合わせることを可能にする。小児のために使用される場合、子供を固定するために、複合チャイルドシートの一体型ハーネスシステムが使用される。これはいわゆる一体モードである。一体型ハーネスは、３点ハーネスまたは５点ハーネスの何れかであり得る。３点ハーネスは２つの肩紐を備える。各肩紐の一端には、ハーネスバックルと係合するように適合された舌部が接続されている。各肩紐の他端は、複合チャイルドシートに連結されている。５点ハーネスは２本の紐をさらに備える。各紐の一端は、複合チャイルドシートのシートベースに接続されている。バックル舌部は、各紐に摺動可能に接続される。子供を固定するために、バックル舌部をハーネスバックルに挿入する。シートベースから舌部まで延びる紐の部分は、子供の臀部／大腿部の上に案内される。複合チャイルドシートの舌部から背もたれまで延びる紐の部分は、子供の肩の上に案内される。子供が成長すると、その子供は車両の安全ベルトによって複合チャイルドシートに固定される。そして、一体型ハーネスシステムはしまうことができる。これは、いわゆる非一体モードである。複合チャイルドシートは、より広い範囲の子供の年齢層にわたって使用することができる。
【０００７】
一体モードは約１歳に開始し、約４歳以上で終了する。非一体モードは約３歳で始まり、１２歳で終わる。したがって、チャイルド安全シートが一体モードまたは非一体モードの何れかで使用できる約３〜４歳の重複範囲がある。このため、いくつかの潜在的な誤用の原因が存在する。すなわち、チャイルド安全シートが一体モードで長期間使用される場合がある。同様に、一体モードから非一体モードへの変更が時期尚早である可能性がある。上述した重複範囲である約３〜４歳の範囲外で一体モードから非一体モードへの変更を実行すると、チャイルド安全シートが適切なモードで使用されない場合、車両事故における子供の重傷のリスクが大幅に増加する。
【０００８】
さらに、一体モードから非一体モードへの従来の複合チャイルドシートの変換は、一般的に非常に面倒である。上述したように、複合チャイルドシートが一体型ハーネスシステムと共に使用されるとき、すなわち一体モードで使用されるとき、一体型ハーネスシステムは一般にヘッドレストに連結される。一体モードでは、従来の複合シートは、ヘッドレストおよびハーネスを調整するためのアジャスタをシートの後部に備える。非一体モードへの変換のために、従来の複合チャイルド安全シートの多くは、ハーネスを取り外す必要がある。これが行われた場合にのみ、ヘッドレストをさらに持ち上げることができる。しかしながら、ヘッドレストのさらなる持ち上げは、第２のアジャスタによって行われなければならない。このため、従来のチャイルド安全シートは、シートが使用される一体モードまたは非一体モードに応じて、ヘッドレストの高さを調整するために２つの別々のアジャスタを使用する。これにより、変換が煩雑になるばかりでなく、ユーザが一体型ハーネスシステムを再装備する必要がある場合に特にリスクが発生する。
【発明の概要】
【発明が解決しようとする課題】
【０００９】
したがって、本発明の目的は、一体モードと非一体モードとの間のより簡単で迅速な変換を可能にする使い易さが向上したチャイルド安全シートを提供し、非一体モードの長期間の使用を防止し、および／または非一体モードの時期尚早の使用を防止する誤用防止機構付きのチャイルド安全シートを提供することである。
【課題を解決するための手段】
【００１０】
この目的は、請求項１に記載のチャイルド安全シートおよび請求項１０に記載のチャイルド安全シートによって達成される。本発明のさらに有利な実施形態は、請求項２〜９および請求項１１〜１５に示される。
【００１１】
本発明の第１の態様によれば、シートシェルと、ヘッドレストと、チャイルド安全シートの一体型ハーネスシステムの紐を案内するために、シートシェルに摺動可能に連結される案内部品と、連結要素を備えるヘッドレストの高さを調整するための調整機構と、を含むチャイルド安全シートが提供されている。連結要素は、第１の構成および第２の構成に配置されるように構成される。第１の構成に配置されるとき、連結要素は、ヘッドレストを案内部品と連結して、シートシェルに対する案内部品と共にヘッドレストの移動を可能にする。第２の構成に配置されるとき、連結要素は、案内部品がシートシェルに対して移動するのを防止し、シートシェルに対するヘッドレストの移動を可能にするように、シートシェルを案内部品に連結する。
【００１２】
２つの構成のために、連結要素を配置することができ、チャイルド安全シートのヘッドレストの高さ調整は、一体型ハーネスシステムまたはチャイルド安全シートに子供を固定するための車両の安全ベルトと共に使用されるときに達成され得る。チャイルド安全シートは、一体モードまたは非一体モードで使用できる。チャイルド安全シートが非一体モードで使用される場合でも、一体型ハーネスシステムを取り外す必要はない。チャイルド安全シートの一体モードは、チャイルド安全シートに子供を固定するための一体型ハーネスシステムの使用によって規定される。非一体モードは、チャイルド安全シートに子供を固定するための車両の安全ベルトの使用によって規定される。本発明の調整機構は、ヘッドレストが、非一体モードが必須となる年齢に対応する高さに達したときに、一体型ハーネスシステムの紐をヘッドレストから案内するための案内部品を外すために、連結要素のみを作動させる必要があるという利点を有する。好ましくは、第１の構成は一体モード中に使用される。好ましくは、第２の構成は非一体モード中に使用される。有利なことに、案内部品は、一体型ハーネスシステムの肩紐を案内するように構成されたハーネススライダである。第１の構成では、調整機構の連結要素によるヘッドレストと案内部品との連結のために、ヘッドレストの調整により、一体型ハーネスの肩紐が正確に位置決めされ、逆も同様である。連結要素が第２の構成に配置されると、一体型ハーネスシステムの肩紐を案内するための案内部品がヘッドレストから切り離される。シートシェルに対するヘッドレストの移動が可能である一方、案内部品はシートシェルに対する移動が防止される。すなわち、第２の構成に配置されるとき、連結要素は、ヘッドレストの移動の際に案内部品が固定位置にとどまるように、シートシェルを案内部品に連結する。連結要素が第２の構成にあるとき、案内部品を固定することにより、一体型ハーネスをチャイルド安全シートに取り付けたままにすることができる。ヘッドレストからの案内部品の分離のために、ヘッドレストの移動は、もはや案内部品とは関係しない。したがって、一体型ハーネスはヘッドレストが非一体モードで調整されるのを妨げない。したがって、ヘッドレストの高さは、依然として第１の構成と同じように調整することができる。これは、チャイルド安全シートが使用される構成とは無関係に、１つの要素のみが高さ調整のために作動される必要があるという利点を有する。第２の利点は、一体型ハーネスがチャイルド安全シート上に留まることができることである。チャイルドシートが非一体モードで使用されるときにそれを取り外す必要はない。一体型ハーネスを取り外す必要がないので、特に、非一体モードから一体モードに戻して変換する場合に、ユーザによる誤使用が防止される。
【００１３】
有利なことに、シートシェルは着座部を備える。着座部は、子供の脚の底部および一部を受け入れるように構成される。
【００１４】
好ましくは、チャイルド安全シートは、ヘッドレストが最低位置から、連結要素が第１の構成にある場合に、最低位置よりも着座部から離れた中間位置までの高さでシートシェルと係合することができるように構成される。また、チャイルド安全シートは、ヘッドレストが、中間位置から、連結要素が第２の構成にある場合、中間位置よりも着座部から離れた最高位置までの高さでシートシェルと係合することができるように構成されていることが好ましい。最低位置と中間位置との間の範囲は、第１の構成におけるヘッドレストの調整範囲を規定する。最低位置は、ヘッドレストの最低可能位置を規定する。好ましくは、この最低位置は、ヘッドレストが１歳の子供に適合するように選択される。中間位置は、連結要素が第１の構成、好ましくは一体モードであるときのヘッドレストの最高可能位置を規定する。言い換えれば、中間位置より上では、一体型ハーネスシステムの紐のための案内部品は、ヘッドレストの移動から切り離される。例えば、一体型ハーネスシステムの肩紐の出口を有する案内部品を中間位置を越えて更に上昇させることは不可能である。さらに、連結要素が第１の構成に配置されている限り、ヘッドレストは中間位置よりも高い位置に配置されなくてもよい。これは、チャイルド安全シートに座っている年長児の場合、一体型ハーネスシステムの紐を子供の肩の上に正しく案内したり、ヘッドレストの高さを適切に調整することができないことを意味する。したがって、年長児のために一体型ハーネスシステムを使用しようとするユーザは、これがほとんど不可能であることを認識するであろう。したがって、チャイルド安全シートが一体モードで長期間使用されることは避けられる。
【００１５】
この中間位置は、ヘッドレストが４歳の子供に適合するように選択されると有利である。最低位置と中間位置との間の距離は、好ましくは９ｃｍと１３ｃｍの間、有利には、１０．５ｃｍと１１．１ｃｍの間、最も好ましい値は１１．１ｃｍである。
【００１６】
最高位置は、連結要素が第２の構成、好ましくは非一体モードであるときのヘッドレストの最高可能位置を規定する。最高位置は、好ましくは、ヘッドレストを配置できる最高可能位置である。この最高位置は、ヘッドレストが１２歳の子供に適合するように選択されると有利である。中間位置と最高位置との間の距離は、好ましくは１２ｃｍ〜１６ｃｍの間、有利には１３．５ｃｍ〜１４．５ｃｍの間、最も好ましい値は１４．２ｃｍである。
【００１７】
調整範囲は、人体測定データから取ることができる。一体モードでは、着座部から測定した場合、肩の高さは２８ｃｍから３９．１ｃｍまで可変でなければならない。案内部品は、好ましくは、一体型ハーネスの肩紐が、子供の肩の上で略水平に案内部品から離れて案内されるように配置されるので、案内部品は、着座部から測定して２７ｃｍと着座部から測定して４０ｃｍの間、有利には着座部から測定して２８ｃｍと着座部から測定して３９．５ｃｍの間で移動するように適合される。最低位置は、着座部から２７ｃｍと２８ｃｍの間に位置することが好ましい。中間位置は、着座部から３９ｃｍと３９．５ｃｍの間に位置することが好ましい。非一体モードでは、着座部から測定した場合、肩の高さは３９．１ｃｍから５３．３ｃｍまで可変である必要がある。
【００１８】
ヘッドレストは、チャイルドシートに座っている子供の肩に接触しそうになると、ヘッドレストの下縁が正確に位置決めされるので、ヘッドレストは、着座部から測定して２７ｃｍと着座部から測定して５５ｃｍの間の範囲、有利には着座部から測定して２８ｃｍと着座部から測定して５３．５ｃｍの間で移動するように適合される。最低位置は、着座部から２７ｃｍと２８ｃｍの間に位置することが好ましい。最高位置は、着座部から５３．０ｃｍと５３．５ｃｍの間に位置することが好ましい。
【００１９】
有利なことに、連結要素は、ヘッドレストが中間位置にある場合にのみ、第１の構成から第２の構成への変更が可能であるように構成される。これは、ヘッドレストが第１の構成において最高可能位置に配置されている場合、第１の構成から第２の構成への変更のみが可能であることを意味する。利点は、誤用が防止され、年長児が一体型ハーネスシステムで長期間固定されることを防止することである。したがって、ヘッドレストを中間位置を越えた高さに調整することが必要となると、ユーザは、車両の安全ベルトで子供を固定することが強制される。
【００２０】
有利なことに、非一体モードでは、一体型ハーネスの肩紐を、チャイルド安全シートの背もたれカバーの後ろに収納してもよいし、隠してもよい。子供の背が肩紐に直接接触していないので、後者が非一体モードで使用されるとき、カバーの背後に肩紐が隠されていることにより、シートに座っている子供の快適さが増す。
【００２１】
有利なことに、連結要素は、第１の構成に配置されると、ヘッドレストと案内部品との間の距離がそれらの移動の際に、一定に保たれるように、ヘッドレストを案内部品にさらに連結する。好ましくは、この距離は、案内部品がヘッドレストの下縁に位置するように選択される。これにより、ハーネスシステムの肩紐は、チャイルド安全シートに座っている子供の肩の上に略平行に通過できるように配置される。これは、肩紐の正しい位置である。連結要素が第１の構成にある限り、距離は変化しないので、ヘッドレストの調整により、一体型ハーネスが自動的に調整され、逆も同様である。一体型ハーネスの調整は、案内部品、ひいてはそれを通って案内される肩紐が正しい高さにあるようなものである。
【００２２】
有利なことに、調整機構は、着座部から異なる高さでヘッドレストをシートシェルと係合させるように適合された係止機構をさらに備える。係止機構はヘッドレストを異なる高さに固定する利点を有する。これにより、子供のさまざまなサイズと年齢に応じてヘッドレストを調整することができる。好ましくは、係止機構は、ヘッドレストを徐々に変位できるように適合されている。あるいは、ヘッドレストの連続的な変位が有利かもしれない。
【００２３】
有利なことに、調整機構の係止機構は、連結要素が第１の構成にあるときにヘッドレストを最低位置から中間位置に移動させ、連結要素が第２の構成にあるときに、中間位置から最高位置に移動するように作動可能なアクチュエータをさらに備える。第１の構成および第２の構成の両方においてヘッドレストを移動させるように作動可能なアクチュエータは、ヘッドレストの高さ調整が１つの単一の作動要素によって行われ得るという利点を有する。同アクチュエータの作動は、連結要素の第１の構成および第２の構成におけるヘッドレストの高さを調整するのに十分である。アクチュエータは、ヘッドレストの上部に配置されることが好ましい。これにより、シートが車両に設置されているとき、または子供がチャイルド安全シートに座らせているときでさえ、ヘッドレストの調整が可能になる。
【００２４】
好ましくは、係止機構は、シートシェルに取り付けられた歯付きラックと係止要素とを備え、係止機構は、ヘッドレストがシートシェルと係合したときに係止要素が歯付きラックによって受けられるように構成される。歯付きラックは、シートシェルと一体的に形成されてもよく、あるいは別個の構成要素であってもよい。歯付きラックおよび係止要素は、ヘッドレストを徐々に変位できる簡単な機構を提供する。アクチュエータの作動時に係止要素が歯付きラックから外れるように、係止機構が構成されているとさらに好ましい。これにより、ヘッドレストの高さ調整は、アクチュエータのみを作動することにより必ず行うことができる。すなわち、アクチュエータを作動することにより、ヘッドレストが歯付きラックとの係合から解放され、ヘッドレストをシートシェルの上または下に移動させることが可能になる。
【００２５】
有利なことに、シートシェルは、連結要素が第１の構成に配置されるとき、案内部品が背もたれ部に沿って摺動可能である背もたれ部をさらに備える。これは、好ましくは、チャイルド安全シートが一体モードで使用されるときに一体型ハーネスシステムの調整を可能にする。好ましくは、シートシェルの背もたれ部は、背もたれ開口を備え、連結要素が第１の構成に配置されるとき、案内部品および連結要素は背もたれ開口に摺動可能に取り付けられる。背もたれ開口は、有利には、案内部品の案内レールを提供する。背もたれ開口が連結要素の案内レールをも提供するならば、さらに有利である。好ましくは、シートシェルの背もたれ開口は、ヘッドレストが最低位置から中間位置に移動することができるように寸法決めされる。
【００２６】
有利なことに、ヘッドレストは、連結要素が第２の構成にあるときに案内部品を受け入れるように適合されたヘッドレスト開口を有し、ヘッドレスト開口は、ヘッドレストが中間位置から最高位置に移動できるように寸法決めされる。ヘッドレスト開口は、一旦連結要素が第２の構成に配置されると、案内部品が中間位置に固定されているときでさえ、ヘッドレストを調整することを可能にする。
【００２７】
好ましくは、連結要素は、変換スイッチ、旋回レバー、または摺動要素である。これらは、安価で生産しやすい構成要素である。
【００２８】
有利なことに、チャイルド安全シートは、一体型ハーネスシステムの係止部材を受け入れるように適合された区画と、遮蔽要素と、をさらに備え、遮蔽要素は、ヘッドレストが着座部から最も低い非一体型ヘッドレスト位置よりも低い高さに配置されている限り、遮蔽要素が係止部材の受容に対して区画を遮蔽するように、ヘッドレストに連結される。有利なことは、以下の本発明の第２の態様に関して記述され、明らかになるであろう。
【００２９】
本発明の第２の態様によれば、着座部を有するシートシェルと、ヘッドレストと、係止部材を備える一体型ハーネスシステムと、ヘッドレストの高さを調整する調整機構と、係止部材を受け入れるように適合された区画と、遮蔽要素と、を含むチャイルド安全シートが提供される。遮蔽要素は、ヘッドレストが着座部から最も低い非一体型ヘッドレスト位置よりも低い高さに配置されている限り、遮蔽要素が係止部材の受け入れに対して区画を遮蔽するように、ヘッドレストに連結される。
【００３０】
最も低い非一体位置は、一体モードから非一体モードへの切り替えが許容されるヘッドレストの最低位置を規定する。好ましくは、ヘッドレストの最も低い非一体型ヘッドレスト位置は、３歳の子供に対応している。ヘッドレストが最も低い非一体型ヘッドレスト位置よりも低い高さに配置されている限り、遮蔽要素が係止部材の受け入れに対して区画を遮蔽するので、非一体モードの時期尚早な使用は避けられる。一体型ハーネスシステムの係止部材を収納しようとするユーザは、これが不可能であることに気付くであろう。したがって、ユーザは、チャイルド安全シートをさらに一体モードで使用しなければならないことを認識するであろう。係止部材は、好ましくは、一体型ハーネスシステムのバックル舌部を備える。
【００３１】
有利なことに、ヘッドレストが最も低い非一体型ヘッドレスト位置よりも低い高さに配置されている限り、係止部材が収納されるために区画内に利用可能な空間がないか、または空間が不十分である。ヘッドレストが最も低い非一体型ヘッドレスト位置よりも低い高さに配置されている限り、区画には外部からアクセスできない可能性もある。好ましくは、区画は、係止部材を受け入れるためのポケットを備える。
【００３２】
好ましくは、ヘッドレストと遮蔽要素との間の連結は、剛的な接続によって達成される。これにより、ヘッドレストのいかなる動きも遮蔽要素に確実に変換される。
【００３３】
有利なことに、遮蔽要素は、係止部材が区画に受け入れられる限り、着座部からの最も低い非一体型ヘッドレスト位置よりも低い高さの配置に抗してヘッドレストを遮蔽するようにヘッドレストにさらに連結される。好ましくは、ヘッドレストの遮蔽は、遮蔽要素と区画に受け入れられた係止部材との間の物理的接触によって生じる。これにより、チャイルド安全シートが非一体モードで時期尚早に使用されることはやはり回避される。チャイルド安全シートは、車両の安全ベルトを用いて子供がチャイルド安全シートに固定されるとき、非一体モードで使用される。したがって、一体型ハーネスシステムの係止部材が区画内に収納される限り、チャイルド安全シートは一体モードで使用することができない。係止部材が区画内に収納されるか、区画によって受け取られる状況は、通常、非一体モードで年長児のために使用されるチャイルド安全シートが、一体モードで小児に使用されるチャイルド安全シートに戻して変形されるときに生じる。この状況では、ユーザはまだそれに従わない子供のために非一体モードを使用することが起こり得る。しかしながら、このような状況は、本発明によればユーザがヘッドレストを最も低い非一体型ヘッドレスト位置よりも低い位置に持ってくることができないので生じない。したがって、小児に非一体モードを使用しようとするユーザは、ヘッドレストを適切に調整するためには一体モードに切り替える必要があることを認識するであろう。
【００３４】
有利なことに、遮蔽要素は、ヘッドレストが最も低い非一体型ヘッドレスト位置よりも低い高さに配置されている限り、係止部材が区画内に収まらないように区画内で利用可能な空間を縮小するようにさらに構成される。これは、ヘッドレストが少なくとも最も低い可能な非一体型ヘッドレスト位置に配置されるまで、係止部材が確実に収納されないようにする簡単な方法である。さらに、ヘッドレストが非一体型ヘッドレスト位置よりも低く配置されている限り、係止部材が区画に受け入れられるのに十分な空間がないので、係止部材が区画内に収納されている限り、ヘッドレストを最も低い非一体型ヘッドレスト位置よりも低く下げることはできないことになる。係止部材は、区画の空間をさらに縮小させようとする遮蔽要素を物理的に遮蔽する。好ましくは、遮蔽要素の遮蔽がヘッドレストの遮蔽を引き起こすように、遮蔽要素はヘッドレストに連結される。
【００３５】
有利なことに、遮蔽要素とヘッドレストとの間の連結は、さらに、ヘッドレストが最も低い非一体型ヘッドレスト位置よりも高い高さに配置されたときに、係止部材が区画によって受け入れ可能なようになっている。これにより、そうするためにヘッドレストの最低許容高さに達したときに非一体モードに切り替えることができる。
【００３６】
好ましくは、シートシェルは背もたれ部をさらに備え、区画は背もたれ部に一体化されている。チャイルド安全シートの背もたれ部に一体化された区画は、容易に到達可能であるという利点を有する。さらなる利点は、一体モードから非一体モードに切り替えるときに、一体型ハーネスシステム全体を取り外す必要がないことである。好ましくは、一体型ハーネスシステムは、背もたれ部のカバーの下に収納されてもよい。係止部材は区画内に収納される。
【００３７】
本発明の第１の態様によるチャイルド安全シートは、本発明の第２の態様の任意の特徴と組み合わせることができ、その逆も同様であることが理解される。事実、第１の態様の誤用防止機構および第２の態様の誤用防止機構が１つの単一のチャイルド安全シートに一体化されていると特に有利である。これは、一体モードから非一体モードへの時期尚早な切り替えと、一体モードの長期間使用に対して最大限の保護を提供する。
【００３８】
有利なことに、チャイルド安全シートは、一体型ハーネスシステムまたは車両の安全ベルトと共に使用するように構成された複合チャイルド安全シートである。
【図面の簡単な説明】
【００３９】
本発明の特定の実施形態を、添付の図面を参照して例により説明する。
【図１ａ】ヘッドレストが最低可能位置に配置された一体型ハーネスシステムを備えた本発明に係るチャイルド安全シートを示す。
【図１ｂ】一体モードでヘッドレストが最高可能位置に配置された一体型ハーネスシステムを備えたチャイルド安全シートを示す。
【図２】非一体モードで車両の安全ベルトと共に使用されるチャイルド安全シートであって、ヘッドレストが最高可能位置に配置された場合を示す。
【図３】本発明に係る一体モードを長期間使用することを防止する誤用防止機構を備えたチャイルド安全シートの分解図を示す。
【図４ａ】本発明に係る一体モードを長期間使用することを防止する誤用防止機構を備えた高さ調整機構の、ヘッドレストが最低可能位置にある状態における断面図を示す。
【図４ｂ】本発明に係る一体モードを長期間使用することを防止する誤用防止機構を備えた高さ調整機構の、ヘッドレストが中間位置にある状態、すなわち一体モードで最高可能位置にある状態における断面図を示す。
【図５ａ】一体モードを長期間使用することを防止する誤用防止機構を備えたチャイルド安全シートの連結要素の第１の構成から第２の構成までの変換のステップの概略を説明する図である。
【図５ｂ】一体モードを長期間使用することを防止する誤用防止機構を備えたチャイルド安全シートの連結要素の第１の構成から第２の構成までの変換のステップの概略を説明する図である。
【図６】ヘッドレストを最高可能位置に配置した本発明に係る非一体モードの高さ調整機構の断面図を示す。
【図７】ヘッドレストをシートシェルに係合させるための係止機構を示す。
【図８ａ】チャイルド安全シートを一体モードにして、非一体モードの時期尚早な使用を防止するための誤用防止機構の断面図を示す。
【図８ｂ】一体モードから非一体モードへの変更が可能である場合に、非一体モードの時期尚早な使用を防止するための誤用防止機構の断面図を示す。
【図８ｃ】チャイルド安全シートを非一体モードにして、非一体モードの時期尚早な使用を防止するための誤用防止機構の断面図を示す。
【発明を実施するための形態】
【００４０】
図１ａには、本発明によるチャイルド安全シート１００が示されている。チャイルド安全シート１００は、シートシェル１と、ヘッドレスト２と、を備える。シートシェル１は、子供を収容するためのものである。シートシェル１はカバーで覆われている。カバーはパッド入りである。シートシェル１は、特に、子供の背を受けるための背もたれ部１１を備える。シートシェル１は、特に、子供の臀部および脚の一部を受けるための着座部１２をさらに備える。ヘッドレスト２はその最低位置に示されている。すなわち、ヘッドレスト２とシートシェル１の着座部１２との間の距離は最小限である。この位置は、約１歳の小児に適している。ヘッドレスト２は、子供の頭部を受けるための中央領域２１を有する。さらに、ヘッドレスト２は、２つの側方部２２を備える。これらの側方部２２は、側翼を有する。それらはパッド入りでもよい。側方部２２は、特に側突の場合には、子供の頭部を囲み、保護する。チャイルド安全シート１００は、一体型ハーネスシステム５をさらに備える。一体型ハーネスシステム５のうち、肩紐５１、ラップ紐５２およびバックル舌部を備えたハーネスバックル５３が示されている。図１ａに示す一体型ハーネスシステム５は、５点ハーネスシステムである。肩紐５１は、シートシェル１の裏側（図示せず）からシートシェル１の前側に案内部品３を通って案内される。
【００４１】
図１ａにおいて、チャイルド安全シートは、いわゆる一体モードで示されていて、すなわち、チャイルド安全シート１００は、一体型ハーネスシステム５と共に使用される。一体モードでは、案内部品３とヘッドレスト２は互いに連結されている。この連結は、連結要素（詳細は後述）を有する調整機構によって達成される。この連結によって、ヘッドレスト２の動きにより、案内部品３の動きが生じる。このために、案内部品３はシートシェル１に沿って摺動可能である。このために、案内部品３は、ハーネススライダとして設計されてもよい。好ましくは、ハーネススライダは、シートシェル１の背もたれ部１１に沿って摺動し、一体型ハーネス５の高さを調整するように構成されている。
【００４２】
図１ｂは、図１ａのチャイルド安全シート１００を依然として一体モードで示している。図１ｂにおいて、ヘッドレスト２は一体モードで最高可能位置に移動されている。以下では、この位置を、非一体モードにおける最高可能位置から区別するために、「中間位置」と呼ぶ。非一体モードにおける最高可能位置は、チャイルド安全シート１００内で達成可能なヘッドレストの最高可能位置である。
【００４３】
一体モードでの高さの調整は、アクチュエータ８を作動することによって達成することができる。図１ｂに示すアクチュエータ８はハンドル８１を備える。ハンドル８１はヘッドレスト２の上部に一体化される。アクチュエータ８が作動されている限り、ヘッドレストは、最低位置と中間の位置との間の高さに調整されてもよい。高さ調整機構の詳細は、図４〜図７を参照して後述する。
【００４４】
図１ａと図１ｂとを比較すると、一体モードでのヘッドレスト２と案内部品３との連結が明白になる。ヘッドレスト２と案内部品３との間の距離は一定のままである。これにより、一体型ハーネスの肩紐５１を、チャイルド安全シートの乗員の肩の上で案内部品３から略水平に案内することができる。これは、正面衝突の場合に子供の最も効率的な拘束を保証するために、肩紐５１の最適な経路である。ヘッドレスト２の下縁２３は、肩紐５１用の案内部品３の出口のわずかに上に位置する。したがって、ヘッドレスト２の高さを調整するために、ヘッドレスト２の下縁２３をチャイルド安全シートの乗員の肩の上の正しい位置に持ってくるには十分である。したがって、案内部品３とヘッドレスト２との連結により、肩紐５１の誤用または誤配置が大幅に低減される。
【００４５】
図２は、図１ａおよび１ｂの非一体モードのチャイルド安全シート１００を示す。これは、チャイルド安全シート１００に子供を固定するために車両の安全ベルト５００が使用されることを意味する。一体型ハーネスはもはや示されていない。しかしながら、本発明によれば、チャイルド安全シート１００が非一体モードで使用されるとき、一体型ハーネスを取り外す必要はない。好ましくは、一体型ハーネスは、少なくとも部分的に、シートシェルのカバーまたはシートシェルの背もたれ部によって覆われる。図２と図１ｂとを比較すると、案内部品３は移動していない、すなわち、ヘッドレストが中間位置に位置決めされたときの高さに固定されていることが明らかである。ヘッドレスト２の高さが高くなっている。これは、本発明によれば、非一体モードでは、案内部品３とヘッドレスト２との間の連結が解除されるため可能である。非一体モードにおけるヘッドレスト２の高さの調整は、アクチュエータ８を作動することによって達成することができる。好ましくは、アクチュエータ８は、ヘッドレスト２の上部に配置されたハンドル８１を備える。非一体モードの高さ調整機構の詳細は、図５ｂおよび図６に関して後述する。
【００４６】
ヘッドレスト２の高さ調整は、同アクチュエータ８を作動することによって、非一体モードでも一体モードでも行うことができる。
【００４７】
図１ａ、１ｂおよび２を参照して記載されたチャイルド安全シート１００は、いわゆる複合チャイルド安全シートである。このような複合チャイルド安全シートは、約１歳から１２歳の子供のために使用することができる。これは、上述したように、一体型ハーネスを備えたチャイルド安全シートから、車両の安全ベルトと共に使用することができるチャイルド安全シートへ変形することができるためである。
【００４８】
図３は、本発明のチャイルド安全シート１００の分解図である。図３で示されているのは、カバーおよび詰め物が除去されたシートシェル１である。シートシェル１は、背もたれ部１１と、着座部１２と、を備えている。背もたれ部１１には、２つの開口６が見える。さらに、歯付きラック９は、シートシェル１に一体化されている。歯付きラック９は、シートシェル１の背もたれ部１１に取り付けられていることが図示されている。図示の実施形態の歯付きラック９は、シートシェル１と一体的に形成されている。しかし、別個の部品として形成することもできる。図３はさらに、ヘッドレスト２（カバーおよび詰め物が除去されている）を示す。ヘッドレスト２は、２つの開口７を備える。一体型ハーネスシステムの肩紐を案内するための案内部品３も示されている。さらに、連結要素４が示されている。案内部品３と連結要素４とを接続するバー３４も示されている。さらに、アクチュエータ８が示されている。アクチュエータ８は、ハンドル８１と、変換要素８２と、バネなどの弾性部品８３と、係止バーなどの係止要素８４と、を備える。歯付きラック９およびアクチュエータ８は、本発明の係止機構に備えられている。連結要素４および係止機構は、本発明の高さ調整機構の一部である。係止機構の詳細については、図７に関して詳述する。
【００４９】
背もたれ部１１の開口６は、チャイルド安全シートが一体モードで使用されるとき、案内部品３および連結要素４の案内レールを提供する。背もたれ開口６の目的および機能は、後述の図４ａおよび４ｂの説明において明らかになるであろう。
【００５０】
チャイルド安全シート１００が非一体モードで使用されるとき、ヘッドレストの開口７は案内部品を受け入れるようになっている。ヘッドレストの開口７によって、案内部品３が中間位置に固定されていても、ヘッドレスト２を非一体モードで調整することが可能となる。ヘッドレスト開口７の更なる目的および機能は、後述する図５ｂおよび６の説明において明らかになるであろう。
【００５１】
図４ａ、４ｂ、５ａ、５ｂおよび６は、ヘッドレストの調整を、最低位置から最高位置へ順番に示している。具体的には、図５ａおよび５ｂにおいて、第１の構成から第２の構成への連結要素４の変換が示されている。
【００５２】
図４ａには、開口７を有するヘッドレスト２、案内部品３、および連結要素４が示されている。連結要素４は、高さ調整機構の一部である。さらに、一体型ハーネスシステムの肩紐５１が示されている。肩紐５１は案内部品３を通って案内される。さらに、各開口６を有するシートシェルの背もたれ部１１の一部が見える。ヘッドレスト２は、連結要素４によって案内部品３に連結されている。ヘッドレスト２は凹部２４を備える。凹部２４は、連結要素４において対応する係合部材４１を受け入れるようになっている。図４ａに示す実施形態によれば、案内部品３と連結要素４は、バー３４によって互いに接続されている。他の連結手段も可能である。図４ａに示す連結要素４は、変換スイッチとして設計されている。この変換スイッチ４は、バー３４の周りに旋回可能に取り付けられている。シートシェルは、バー３４の端を受け入れるように適合されたレールまたは凹部（図示せず）などの案内手段を備えていてもよい。上記案内手段を備える場合、前記案内手段は、さらに、シートシェルの背もたれ部１１に沿ったバー３４の移動、例えば摺動を可能にするように適合される必要がある。図４ａにおいて、連結要素４は、第１の構成に配置される。この第１の構成では、連結要素４がヘッドレスト２を案内部品３に接続する。連結要素４、ヘッドレスト２および案内部品３の３つの構成要素は複合構成物を形成する。この複合構成物は、シートシェルの背もたれ部１１の開口６に沿って移動させることができる。図４ａにおいて、ヘッドレスト２は最低可能位置に配置されている。
【００５３】
図４ｂは、ヘッドレスト２の高さを調整した後の、図４ａに関連するヘッドレスト２、案内部品３および連結要素４の位置の変化を示している。一体モード中の高さ調整は、矢印Ａで示すように、アクチュエータを作動させ、ヘッドレスト２をシートシェルに対して上方に引っ張ることで達成できる。アクチュエータが作動している限り、ヘッドレスト２はシートシェルとの係合から解放される。前記作動の詳細は、図７に関連して、より詳細に後述する。連結要素４の構成は変更されていない。連結要素４は依然として第１の構成にある。これは、図４ａに関連して上述したのと同じ方法で、ヘッドレスト２および案内部品３が連結要素４によって互いに依然として連結されていることを意味する。ヘッドレスト２が図４ｂに示す位置に到達するために、案内部品３および連結要素４は、少なくとも部分的に、背もたれ部１１の開口６に沿って移動している。背もたれ開口６は、ヘッドレスト２、案内部品３および連結要素４の構成要素を側方移動に対して安定させるための案内レールとしての役割を果たす。図４ｂにおいて、案内部品３は、背もたれ部１１の開口６の上端に到達している。したがって、案内部品３は、停止部に達している。連結要素４が第１の構成にある限り、ヘッドレスト２の高さをさらに増加させることは不可能である。ヘッドレスト２と案内部品３との連結により、案内部品３、特に案内部品３の肩紐出口のものとヘッドレスト２との間の距離は一定のままである。したがって、第１の構成に配置された連結要素４は、一体モードで使用されるチャイルド安全シートに対応している。案内部品３の移動とともに、案内部品３を通って案内される肩紐５１がシートシェルの背もたれ部１１に沿って移動している。これにより、一体型ハーネスシステムの高さを調整することができる。ヘッドレスト２をシートシェル、好ましくはシートの背もたれ部１１に係合させるために適合される係止機構については、図７を参照して詳細に説明する。
【００５４】
図５ａおよび図５ｂは、ヘッドレスト２が中間位置に到達したとき、すなわち一体モードで最高可能位置に到達したときの第１の構成から第２の構成への連結要素４の変換を示している。
【００５５】
図５ａにおいて、チャイルド安全シートの連結要素４は、第１の構成にある。図５ａに示すチャイルド安全シートの構成は、図４ｂに示すものに対応する。したがって、連結要素４は、案内要素３とヘッドレスト２とを連結する。連結は、図４ａに関連して上述したように、ヘッドレスト２の凹部２４によって受け入れられている連結要素４の端部４１によって達成され得る。
【００５６】
図５ｂは、調整機構の連結要素４が第２の構成に配置されたチャイルド安全シートを示す。ヘッドレスト２は、依然として中間位置、すなわち、図５ａに示されているのと同じ高さに配置されている。案内部品３は、ヘッドレストの開口７の上端に当接するように示されている。案内部品３は、シートシェルの背もたれ部１１の開口６の上端に当接する。図５ａと比較すると、図５ｂでは、連結部品４がバー３４の周りに旋回または回転されている。旋回／回転は矢印Ｂで示されている。連結要素４は、もはやヘッドレスト２の凹部２４に受け入れられない。しかし、連結要素４は、案内部品３と係合したままである。図５ｂに示す実施形態では、後者の係合は、バー３４を介して達成される。第２の構成の場合は、図５ｂに示すように、調整機構の連結要素４は、もはや案内部品３をヘッドレスト２に連結しない。すなわち、ヘッドレスト２は、案内部品３に接続されずに自由に移動することができる。さらに、図５ｂに明示されるように、連結要素４の各係合部材４２は、シートシェルの背もたれ部１１の凹部２５内に受容される。これにより、連結要素４は案内部品４をシートシェルの背もたれ部１１に連結する。したがって、案内部品４が、それ以上移動することが防止される。言い換えれば、ヘッドレスト２の高さは、案内部品４が固定されたままで調整されてもよい。案内部品３は、中間位置よりもシートシェルの着座部から高い位置に配置することができない。これにより、ユーザが一体型ハーネスシステムを有する、すなわち一体モードのチャイルド安全シートを、既に一体モードシートの対象外に成長した子供用に使用することが防止される。
【００５７】
好ましい実施形態では、例えば図５ａに示される第１の構成と、例えば図５ｂに示されるような第２の構成の間の連結要素４の変換は、ヘッドレスト２が中間位置に配置されている場合にのみ、可能である。これは、ヘッドレスト２の凹部２４、背もたれ部１１の凹部２５、および案内部品４の対応する係合部材４１および４２の寸法を適切に選択することによって達成され得る。図５ｂにおいて、ヘッドレスト２は中間位置にある。この場合、ユーザが案内部品４をバー３４の周りで旋回／回転させると、背もたれ部１１の凹部２５は、連結要素４の対応する係合部材４２を受け入れることができるように位置決めされる。ヘッドレスト２が中間位置よりも低い高さにあると仮定すると、ユーザが案内部品４をバー３４の周りで旋回／回転しようとすると、案内部品４の係合部材４２は、背もたれ部１１の一部に当接して、案内部品４の係合部材４１がヘッドレスト２の凹部２４から完全に外れるのを防止する。したがって、ヘッドレスト２が中間位置に達していなければ、ヘッドレスト２と案内部品３との間の連結は損なわれない。類似の考察は、連結要素４の第２の構成から第１の構成への変換に当てはまる。
【００５８】
図６は、ヘッドレスト２の高さを調整した後の、図５ｂに対するヘッドレスト２、案内部品３および連結要素４の位置の変化を示している。連結要素４が非一体モードなどの第２の構成である場合の高さ調整は、連結要素４が第１の構成、例えば一体モードにある場合と同じ方法で達成される。すなわち、高さ調整は、一体モードと同じアクチュエータを作動させ、矢印Ｃで示すようにヘッドレスト２をシートシェルに対して上方に引っ張ることによって行うことができる。アクチュエータが作動している限り、ヘッドレスト２はシートシェルとの係合から解放される。前記作動の詳細は、図７に関連して以下でより詳細に説明される。連結要素４の構成は、図５ｂのものに関して変更されていない。これは、図５ｂに関して上記で詳細に説明したように、連結要素４が案内部品３をシートシェルの背もたれ部１１に連結することを意味する。ヘッドレスト２はもはや案内部品３に接続されていない。ヘッドレスト２が図６に示す位置に到達するために、ヘッドレスト２は少なくとも部分的にシートシェルの背もたれ部１１に沿って移動している。ヘッドレスト２は、１つ以上の開口７を備える。ヘッドレスト開口７は、案内部品３が、ヘッドレスト２が非一体モードで動くことを妨げないようにすることができる。言い換えれば、ヘッドレスト２の基準フレームから見た場合、案内部品３は、矢印Ｃが示すように、非一体モードでヘッドレスト２の高さを高くすると、ヘッドレスト開口７に沿ってヘッドレスト開口７の上停止部からヘッドレスト開口７の下停止部に向かって移動する。シートシェルの背もたれ部１１に関しては、ヘッドレスト２が背もたれ部１１に対して上方に移動し、それによりヘッドレスト２の高さを上昇させている間、案内部品４は固定位置、好ましくは中間位置のままである。上述したように案内部品４と協働するヘッドレスト開口７は、加えて、ヘッドレスト２の横方向移動に対する安定化に寄与する。
【００５９】
図６において、ヘッドレスト２は最高可能位置、すなわち最高位置に達している。ヘッドレスト２の開口７の下端は案内部品３に当接する。したがって、それは停止部に達する。ヘッドレスト２の高さをさらに高くすることはできない。連結要素４は、案内部品３をヘッドレスト２に連結しないので、ヘッドレスト２の高さ調整時に、案内部品３を通って案内される肩紐５１は、シートシェルの背もたれ部１１の固定位置に留まる。一体型ハーネスシステムを、チャイルド安全シートから取り外す必要はない。ヘッドレスト２の高さ調整は、一体型ハーネスシステムが設置されていても、非一体モードで行われてもよい。快適性の理由から、一体型ハーネスの肩紐５１をチャイルド安全シートのカバーの後ろに収納することが可能である。しかしながら、例えば、クリーニング、メンテナンス、交換などの目的のために、一体型ハーネスシステムをチャイルド安全シートから取り外すことも可能である。ヘッドレスト２をシートシェル、好ましくはシートの背もたれ部１１に係合させるように適合された係止機構については、図７を参照して詳細に説明する。
【００６０】
図７は、ヘッドレスト２をシートシェル、好ましくはシートシェルの背もたれ部１１と異なる高さで係合させるために使用され得る係止機構を示す。図７では、ヘッドレスト２がシートシェルの背もたれ部１１と係合している構成が示されている。すなわち、ヘッドレスト２はシートシェルに一定の高さで固定されている。係止機構は、チャイルド安全シートの高さ調整機構の一部である。係止機構は、歯付きラック９と、アクチュエータ８と、を備える。アクチュエータ８はハンドル（図７には示されていないが、図３において、符号８１で示されている）、変換要素８２、およびバネなどの弾性部品８３と、係止バーなどの係止要素８４と、を備える。アクチュエータ８は、チャイルド安全シートのヘッドレスト２に連結されている。歯付きラック９は、シートシェル、好ましくはシートシェルの背もたれ部１１に一体化されている。歯付きラック９は、係止バー８４を受けるように構成されたノッチ９１を備える。ノッチは、ヘッドレスト２が所与の数の異なる高さで調整可能であるように離間されている。歯付きラック９によって、ヘッドレスト２の漸進的な高さ調整が可能である。歯付きラック９は、シートシェルと一体的に形成されてもよい。しかし、歯付きラック９を別個に形成し、その後にシートシェルに一体化することも可能である。
【００６１】
係止機構は、変換要素８２と歯付きラック９との間に係止バー８４を係止することによって係止される。このようにして、係止バー８４は、それが配置されている歯付きラック９のノッチ９１から取り外すことができない。変換要素８２は、ハンドルの動きを係止バー８４の動きに変換する。係止バー８４は、ヘッドレスト２の１つ以上の凹部２６内に摺動可能に取り付けられている。これは、例えば、係止バー８４の端部が対応する凹部２６に受け入れられることによって達成され得る。これにより、係止バー８４がヘッドレスト２に接続される。例えば引っ張ることによってハンドルを作動させると、変換要素８２は同じ方向に移動する。変換要素８２の動きは、弾性部品８３の力に抗する。ハンドルが上方に引っ張られると、変換要素８２は、最初に弾性要素８３を圧縮する。一定の閾値または停止部に達すると、弾性要素８３はもはや圧縮しない。変換要素８２のこの位置では、変換要素８２の受け部８５は、係止バー８４が配置されている歯付きラック９のノッチ９１と同じ位置となり、その結果、係止バー８４は受け部８５内に自由に移動することができる。
【００６２】
ハンドルが次いで、さらに引っ張られると、アクチュエータ８が連結されているヘッドレスト２が上方に引っ張られる。ヘッドレスト２を上方に引くことによって、ヘッドレスト２に一体化された係止バー８４のための凹部２６も上方に移動する。これにより、係止バー８４が歯付きラック９のノッチ９１から受け部８５内に移動する。ヘッドレスト２に対する係止バー８４の動きは、凹部２６によって制限される。係止バー８４が歯付きラック９のノッチ９１から外に移動すると、ヘッドレスト２はシートシェルとの係合から解放される。次いで、ヘッドレスト２の高さは調整可能である。ヘッドレスト２は、シートシェルの背もたれ部１１の上下に移動させることができる。適切な高さが見つかると、ユーザはアクチュエータ８の作動を停止する。次に、弾性要素８３は、変換要素８２をその休止位置に戻すように移動させる。休止位置に戻る途中で、変換要素８２は、係止バー８４を歯付きラック９と係合するように移動させる。係止バー８４は、変換要素８２によって凹部２６に沿って歯付きラック９のノッチ９１の１つに移動されてもよい。ヘッドレスト２は、次いで、シートシェルに対して、特に、背もたれ部１１またはシートシェルの着座部に対して、一定の高さに固定されている。
【００６３】
本発明のチャイルド安全シートによれば、ヘッドレスト２の高さを一体モードおよび非一体モードの両方で調整するには、１つのアクチュエータ８で十分である。これは、同じ係止機構が両方のモードに適していることを意味する。図７に関連して説明した係止機構は、調整機構の連結要素が第１の構成にあるとき、および連結要素が第２の構成にあるときに使用することができる。これは、歯付きラック９が、最低位置、すなわち最低可能位置、すなわち一体モードにおける最低可能位置から最高位置、すなわち最高可能位置、すなわち、非一体モードにおける最高可能位置までのヘッドレスト２の高さ調整を可能にするように選択されることが好ましいことを意味する。
【００６４】
前述した実施形態の誤用防止機構は、一体モードの長期間の使用を防止する。しかしながら、それらは必ずしもチャイルド安全シートのユーザが非一体モードで時期尚早に使用することを防止するとは限らない。上述したように、本発明の１つの利点は、一体型ハーネスシステムが、一体から非一体モードに切り替わる際に必ずしも取り外される必要がないことである。したがって、ヘッドレストが中間位置にまだ到達していない場合であっても、ユーザによる非一体モードへの変更を妨げない。
【００６５】
図８ａ、８ｂ、および８ｃに関して以下で説明される実施形態は、非一体モードの時期尚早な使用に対する誤用防止機構を提供する。同一のチャイルド安全シートで一体モードの長期間の使用を防止する誤用防止機構に加えて、時期尚早な非一体モードを防止するための誤用防止機構を用いることもできる。チャイルド安全シートの同実施形態において、両方の誤用防止機構が併せて使用される場合、強化された／最適な誤用防止保護が提供される。
【００６６】
図８ａは、非一体モードの時期尚早な使用を防止する誤用防止機構を備えたチャイルド安全シートを示す。図８ａには、チャイルド安全シートのシートシェル１が示されており、背もたれ部１１と着座部１２と、ヘッドレスト２と、一体型ハーネスシステム５の肩紐５１を案内する案内部品３と、を備える。案内部品３は、好ましくは、ハーネススライダである。肩紐５１に加えて、一体型ハーネスシステム５の係止部材５４が示されている。好ましくは、係止部材５４は、一体型ハーネスシステム５のハーネスバックル（図示せず）内に固定されるように適合されたバックル舌部である。さらに、遮蔽要素２７がヘッドレスト２に連結されることが示されている。チャイルド安全シートの背もたれ部１１は、前部１１１と後部１１２とを備える。前部１１１は、チャイルド安全シートに座らせた子供の背を受け入れるように適合された背もたれ部１２の一部である。背もたれ部１２の後部１１２は、子供からそれた部分である。背もたれ部１２の前部１１１は、開口５５１を備える。開口５５１は、係止部材５４が嵌入されるように寸法決めされている。背もたれ部１２の前部１１１と後部１１２との間に区画５５が配置されている。区画５５の寸法は、それが係止部材５４を受け入れるように、または複数の係止部材５４が使用される場合、すべての係止部材５４を受け入れるように適合されている。区画５４は、１つ以上のポケットを備えてもよい。示されたチャイルド安全シートは一体モードで使用される。すなわち、一体型ハーネスシステム５は、チャイルド安全シートに座らせた子供を固定するために使用される。この場合、遮蔽要素２７は、係止部材５４を受け入れないように区画を遮蔽する。図８ａに示すように、遮蔽要素２７は、背もたれ部１２の前部１１１の開口５５１を遮蔽する。係止部材５４を開口５５１を通して区画５５内にもたらすことは不可能である。遮蔽要素２７は、開口５５１を遮蔽するだけでなく、区画５５への入口を遮蔽する。図示された遮蔽要素２７は、また、係止部材５４がその中に嵌まり込まないように、区画５５内で利用可能な空間を減少させるように寸法決めされている。遮蔽要素２７は、ヘッドレスト２に連結される。遮蔽要素２７は、ヘッドレスト２と一体的に形成されてもよい。しかしながら、遮蔽要素２７は、ヘッドレストに連結される、例えば取り付けられる別個の部品であってもよい。
【００６７】
さらに、図８ａに示すチャイルド安全シートは、特に図３乃至図６に関して上で詳細に説明したように、案内部品３をヘッドレスト２またはシートシェル１にそれぞれ連結するための第１の構成および第２の構成に配置されるように構成された連結要素（図示せず）を含む調整機構を備えることが有利である。この場合、チャイルド安全シートは、非一体モードの時期尚早な使用を防止する誤用防止機構に加えて、一体モードを長期間使用することを防止する誤用防止機構を備える。
【００６８】
図示された一体モードでは、ユーザが係止部材５４を区画５５内に収納することは不可能である。したがってヘッドレスト２が最も低い非一体型ヘッドレスト位置に到達したときにのみ係止部材５４を区画５５内に収納することが可能でとなるように、区画５５および遮蔽要素２７の寸法を選択することによって、非一体モードの時期尚早な使用は避けられる。
【００６９】
図８ｂは、ヘッドレスト２が着座部１２に対してより高い位置に持ち上げられた、図８ａのチャイルド安全シートを示す。ヘッドレスト２は、最も低い非一体型ヘッドレスト位置に配置される。この位置は、係止部材５４を区画５５内に収納することが可能な、ヘッドレスト２の最も低い高さ（着座部１２に対する）として規定される。図示された実施形態では、ヘッドレスト２を最も低い非一体型ヘッドレスト位置より上に持ち上げると、遮蔽要素２７が区画５５の遮蔽を解除するように、遮蔽要素２７はヘッドレスト２に連結されている。このために、遮蔽要素２７は、ヘッドレスト２にしっかりと接続されてもよい。遮蔽要素２７は、ヘッドレスト２と一体的に形成されてもよい。図示された実施形態では、遮蔽要素２７の下縁は、開口５５１の上縁と同じ高さにある。開口５５１は、係止部材５４によって嵌入されるような寸法であると仮定すると、図示の実施形態の最も低い非一体型ヘッドレスト位置は、遮蔽要素２７が開口５５１を完全にクリア／非遮断するときに到達する。ヘッドレストの高さから始めて最も低い非一体型ヘッドレスト位置と等しいかそれを超えるときにのみ、ユーザは、係止部材５４または複数の係止部材５４を区画５５内に格納／収納することができる。ヘッドレスト２が最も低い非一体型ヘッドレスト位置よりも低い高さに配置されている限り、遮蔽要素２７は区画５５を遮蔽する。これが当てはまる限り、区画５５内の係止部材５４の格納は不可能である。
【００７０】
図８ｂでは、係止部材５４はまだ区画５５に格納されていない。したがって、チャイルド安全シートは一体モードである。しかしながら、開口５５１がクリア／非遮蔽されるので、係止部材５４を区画５５に格納することが可能である。換言すれば、チャイルド安全シートは一体モードから非一体モードに切り替えることができる。これは、係止部材５４を区画５５内に格納することによって達成され得る。
【００７１】
図８ｃは、図８ｂのチャイルド安全シート、すなわちヘッドレスト２が最も低い非一体型ヘッドレスト位置に配置されている状態を示している。図８ｃでは、係止部材５４が区画５５に格納されている。チャイルド安全シートの一体モードから非一体モードへの変更が行われている。非一体モードでは、子供は車両の安全ベルトによってチャイルド安全シートに固定される必要がある。ヘッドレスト２を更に持ち上げると、遮蔽要素２７も上昇する。一方、区画５５に係止部材５４を格納した状態でヘッドレスト２を非一体モードで下降させると、以下のような状況が発生することがある。遮蔽要素２７がヘッドレスト２にしっかりと接続されると、遮蔽要素２７は、ヘッドレスト２の下降時に下降する。ユーザがヘッドレスト２を最も低い非一体型ヘッドレスト位置の下に下ろそうとすると、遮蔽要素２７は、このように係止部材５４と接触する。したがって、係止部材５４は、遮蔽要素２７が物理的に上方へ移動するのを遮蔽する。遮蔽要素２７を遮蔽すると、ヘッドレスト２が遮蔽される。このため、係止部材５４が区画５５内に格納されている限り、ヘッドレスト２は、最も低い非一体型ヘッドレスト位置より実質的に低い高さまで下降することができない。これは、ユーザが小さすぎる子供のために非一体モードから一体モードに戻すことを防止する。
【００７２】
上述したように、図８ａ、図８ｂおよび図８ｃに示すチャイルド安全シートは、特に、図３〜図６に関して説明したように、案内部品３をヘッドレスト２またはシートシェル１にそれぞれ連結するための第１および第２の構成に配置されるように構成された連結要素を含む調整機構を備えることが有利である。この場合、最も低い非一体型ヘッドレスト位置は、連結要素の第１の構成から第２の構成への変更が可能な中間位置よりも着座部１２から離れていない位置にある。中間位置は、一体モードにおけるヘッドレスト２の最高可能位置を規定する。最も低い非一体型ヘッドレスト位置は、非一体モードにおけるヘッドレスト２の最低可能位置を規定する。好ましくは、中間位置は、４歳の子供に対応している。好ましくは、最も低い非一体型ヘッドレスト位置は、３歳の子供に対応している。最も低い非一体型ヘッドレスト位置と中間位置との間で、チャイルド安全シートは、一体モードと非一体モードの両方で使用され得る。
【符号の説明】
【００７３】
１  シートシェル
１１  シートシェル１の背もたれ部
１１１  背もたれ部１１の前部
１１２  背もたれ部１１の後部
１２  シートシェル１の着座部
１００  チャイルド安全シート
２  ヘッドレスト
２１  ヘッドレスト２の中央領域
２２  ヘッドレスト２の側部
２３  ヘッドレスト２の下縁
２４  ヘッドレスト２の凹部
２５  背もたれ部１１の凹部
２６  アクチュエータ８の係止要素／係止バー８４を受けるためのヘッドレスト２の凹部
２７  遮蔽要素
３  案内部品
３４  案内部品３と連結要素４とを接続するバー
４  連結要素
４１  ヘッドレスト２の凹部２４に対応する連結要素４の係合部材
４２  背もたれ部１１の凹部２５に対応する連結要素４の係合部材
５  一体型ハーネスシステム
５１  一体型ハーネスシステムの５の肩紐
５２  一体型ハーネスシステムの５のラップ紐
５３  一体型ハーネスシステム５のハーネスバックル
５４  一体型ハーネスシステム５の係止部材／バックル舌部
５５  係止部材５４用の区画
５５１  区画５５の開口
５００  車両の安全ベルト
６  背もたれ部１１の開口／背もたれ開口
７  ヘッドレスト２の開口／ヘッドレスト開口
８  アクチュエータ
８１  アクチュエータ８のハンドル
８２  アクチュエータ８の変換要素
８３  アクチュエータ８の弾性部品
８４  アクチュエータ８の係止要素／係止バー
８５  係止バー８４の受け部
９  歯付きラック
９１  歯付きラック９のノッチ
Ａ  一体モードのヘッドレスト２の動きを示す矢印
Ｂ  連結要素４の旋回／回転方向を示す矢印
Ｃ  非一体モードにおけるヘッドレスト２の移動を示す矢印
【図１ａ】
2019069757.tif 000003
【図１ｂ】
2019069757.tif 000004
【図２】
2019069757.tif 000005
【図３】
2019069757.tif 000006
【図４ａ】
2019069757.tif 000007
【図４ｂ】
2019069757.tif 000008
【図５ａ】
2019069757.tif 000009
【図５ｂ】
2019069757.tif 000010
【図６】
2019069757.tif 000011
【図７】
2019069757.tif 000012
【図８ａ】
2019069757.tif 000013
【図８ｂ】
2019069757.tif 000014
【図８ｃ】
2019069757.tif 000015
【外国語明細書】
2019069757000001.pdf